(57)【特許請求の範囲】
【請求項１】
受光面側保護材と裏面側保護材との間に、配列方向に沿って一直線状に交互に配列された第１太陽電池ユニットと第２太陽電池ユニットとを封止した太陽電池モジュールであって、
前記第１太陽電池ユニットと前記第２太陽電池ユニットは、それぞれ複数の太陽電池を含み、
前記太陽電池は、
光が入射する受光面と、
前記受光面の反対側に設けられた裏面と、
前記受光面上において、前記配列方向に沿って形成された受光面側電極と、
前記裏面上において、前記配列方向に沿って形成された裏面側電極とを有しており、
前記第１太陽電池ユニットの複数の前記太陽電池の複数の前記受光面側電極どうしと、前記第１太陽電池ユニットの一方に隣接する前記第２太陽電池ユニットの複数の前記太陽電池の複数の前記裏面側電極どうしとは、第１配線材によって接続され、
前記第１太陽電池ユニットの複数の前記太陽電池の複数の前記裏面側電極どうしと、前記第１太陽電池ユニットの他方に隣接する前記第２太陽電池ユニットの複数の前記太陽電池の複数の前記受光面側電極どうしとは、第２配線材によって接続され、
前記受光面に平行な投影面上において、前記第１配線材と前記第２配線材とが重ならない
ことを特徴とする太陽電池モジュール。
【発明の詳細な説明】
【技術分野】
【０００１】
本発明は、受光面側保護材と裏面側保護材との間に、配列方向に沿って一直線状に配列された第１太陽電池ユニットと第２太陽電池ユニットとを封止した太陽電池モジュールに関する。
【背景技術】
【０００２】
太陽電池は、クリーンで無尽蔵に供給される太陽光を直接電気に変換するため、新しいエネルギー源として期待されている。
【０００３】
一般的に、太陽電池１枚当りの出力は数Ｗ程度であるため、複数の太陽電池を接続することにより出力を高めた太陽電池モジュールが電力源として用いられる。
【０００４】
太陽電池モジュールは、配列方向に沿って一直線状に配列された複数の太陽電池ユニットを備える。太陽電池ユニットどうしは、配線材によって電気的に直列に接続される。太陽電池ユニットは、配列方向に沿って一直線状に配列された複数の太陽電池を有する。太陽電池どうしは、配線材によって電気的に直列又は並列に接続される。これにより、太陽電池モジュール全体の電圧が適宜調整される。
【０００５】
ここで、電気的に並列に接続された太陽電池を用いて形成された太陽電池ユニットを備える太陽電池モジュールが知られている。（特許文献１参照）。各太陽電池は、受光面上において配列方向に沿って形成された受光面側電極と、裏面上において配列方向に沿って形成された裏面側電極とを有する。受光面側電極と裏面側電極とは、受光面に平行な投影面上で重ならない。
【０００６】
各太陽電池ユニットにおいて、受光面側電極どうしは、一直線状の配線材の半田付けにより接続される。裏面側電極どうしは、一直線状の配線材の半田付けにより接続される。これにより、各太陽電池ユニットにおいて、太陽電池どうしが電気的に並列に接続される。
【０００７】
これによれば、受光面に平行な投影面上において、受光面側配線材と裏面側配線材とは重ならない。従って、受光面側配線材と裏面側配線材とを半田付けする際に、一方の配線材から溶け出した半田が他方の配線材に接触することを抑制することができる。その結果、受光面側配線材と裏面側配線材との間における短絡の発生を抑制することができる。
【特許文献１】特開２００７−１０３５３５号公報
【発明の開示】
【発明が解決しようとする課題】
【０００８】
しかしながら、上記のような太陽電池ユニットどうしを電気的に直列に接続することは容易ではない。具体的には、一の太陽電池ユニットの受光面側配線材と他の太陽電池ユニットの裏面側配線材とは、配列方向に沿って一直線上に配設されていない。そのため、受光面側配線材と裏面側配線材とを他の配線材を用いて接続する必要がある。
【０００９】
このように、上述の太陽電池ユニットどうしを電気的に直列に接続するには、多数の構成部品を複雑に半田付けする作業が必要とされる。その結果、太陽電池モジュールの製造コストが増加するという問題があった。
【００１０】
そこで、本発明は、上記の問題に鑑みてなされたものであり、複数の太陽電池が電気的に並列に接続された太陽電池ユニットどうしの接続を簡便に行うことのできる太陽電池モジュールを提供することを目的とする。
【課題を解決するための手段】
【００１１】
本発明の特徴に係る太陽電池モジュールは、受光面側保護材と裏面側保護材との間に、配列方向に沿って一直線状に配列された第１太陽電池ユニットと第２太陽電池ユニットとを封止した太陽電池モジュールであって、第１太陽電池ユニットは、複数の第１太陽電池を含み、第２太陽電池ユニットは、複数の第２太陽電池を含み、複数の第１太陽電池と複数の第２太陽電池とは、配列方向に沿って一直線状に配列されており、第１太陽電池は、光が入射する第１受光面と、第１受光面の反対側に設けられた第１裏面と、第１受光面上において、配列方向に沿って形成された第１受光面側電極と、第１裏面上において、配列方向に沿って形成された第１裏面側電極とを有し、第２太陽電池は、光が入射する第２受光面と、第２受光面の反対側に設けられた第２裏面と、第２受光面上において、配列方向に沿って形成された第２受光面側電極と、第２裏面上において、配列方向に沿って形成された第２裏面側電極とを有しており、第１裏面側電極どうしは、第１配線材によって電気的に接続され、第２受光面側電極どうしは、第２配線材によって電気的に接続されており、第１受光面側電極と第２裏面側電極とは、配列方向に沿って一直線上に設けられ、第１受光面側電極と第２裏面側電極とは、第３配線材によって電気的に接続されており、第３配線材は、第１受光面に平行な投影面上において、第１配線材及び前記第２配線材と重ならないことを要旨とする。
【００１２】
従って、第１太陽電池ユニットと第２太陽電池ユニットとを、一直線状の第３配線材によって電気的に直列に接続することができる。即ち、太陽電池ユニットどうしを接続する工程では、直線状の第３配線材のみをバスバー電極に半田付けすればよい。従って、多数の構成部品を複雑に半田付けする作業を削減することができる。その結果、太陽電池モジュールの製造コストを低減することができる。
【発明の効果】
【００１３】
本発明によれば、複数の太陽電池が電気的に直列に接続された太陽電池ユニットどうしの接続を簡便に行うことのできる太陽電池モジュールを提供することができる。
【発明を実施するための最良の形態】
【００１４】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なることに留意すべきである。従って、具体的な寸法等は以下の説明を参酌して判断すべきものである。又、図面相互間においても互いの寸法の関係や比率が異なる部分が含まれていることは勿論である。
【００１５】
（太陽電池モジュールの概略構成）
本発明の実施形態に係る太陽電池モジュール１００の概略構成について、図１を参照しながら説明する。図１は、本実施形態に係る太陽電池モジュール１００の側面図である。
【００１６】
図１に示すように、太陽電池モジュール１００は、太陽電池ストリング１、受光面側保護材２、裏面側保護材３、封止材４を備える。太陽電池モジュール１００は、受光面側保護材２と裏面側保護材３との間に、太陽電池ストリング１を封止して構成される。
【００１７】
太陽電池ストリング１は、第１太陽電池ユニット１０、第２太陽電池ユニット１５及び第１乃至第３配線材２０ａ〜２０ｃを備える。
【００１８】
第1太陽電池ユニット１０と第２太陽電池ユニット１５とは、配列方向に沿って一直線状に配列される。第１太陽電池ユニット１０と第２太陽電池ユニット１５とは交互に配列される。第１太陽電池ユニット１０は、２個の第１太陽電池１０ａを含む。第２太陽電池ユニット１５は、２個の第２太陽電池１５ａを含む。
【００１９】
第１太陽電池１０ａと第２太陽電池１５ａとは、配列方向に沿って一直線状に配列される。２個の第１太陽電池１０ａは、第１配線材２０ａと第３配線材２０ｃとによって、電気的に並列に接続される。２個の第２太陽電池１５ａは、第２配線材２０ｂと第３配線材２０ｃとによって、電気的に並列に接続される。第１太陽電池ユニット１０と第２太陽電池ユニット１５とは、第３配線材によって電気的に直列に接続される。
【００２０】
第１乃至第３配線材２０ａ〜２０ｃとしては、薄板状或いは縒り線状に成形された銅等の導電材を用いることができ、導電材の表面には軟導電体（例えば、共晶半田）がメッキされていてもよい。
【００２１】
受光面側保護材２は、封止材４の受光面側に配置され、太陽電池モジュール１００の表面を保護する。受光面側保護材２としては、透光性及び遮水性を有するガラス、透光性プラスチック等を用いることができる。
【００２２】
裏面側保護材３は、封止材４の裏面側に配置され、太陽電池モジュール１００の背面を保護する。裏面側保護材３としては、ガラス板、ＰＥＴ（Polyethylene Terephthalate）等の樹脂フィルム、或いは、Ａｌ等の金属箔を樹脂フィルムでサンドイッチした構造を有する積層フィルム等を用いることができる。
【００２３】
封止材４は、受光面側保護材２と裏面側保護材３との間において太陽電池ストリング１を封止する。封止材４としては、ＥＶＡ、ＥＥＡ、ＰＶＢ、シリコン、ウレタン、アクリル、エポキシ等の透光性の樹脂を用いることができる。また、このような樹脂の間にＰＥＴ等の絶縁フィルムを介挿させた封止構造体を封止材４として用いることもできる。
【００２４】
（第１太陽電池１０ａの構成）
次に、第１太陽電池１０ａの構成について、図２を参照しながら説明する。図２（ａ）は、第１太陽電池１０ａの受光面側における平面図である。図２（ｂ）は、第１太陽電池１０ａの裏面側における平面図である。図２（ｃ）は、図２（ａ）のＡ−Ａ切断面における断面図である。図２（ｄ）は、第１太陽電池１０ａの受光面に平行な投影面を示す図である。
【００２５】
第１太陽電池１０ａは、太陽光を受ける受光面と、受光面の反対側に設けられた裏面とを有する。受光面と裏面のそれぞれは、第１太陽電池１０ａの主面である。
【００２６】
図２（ａ）に示すように、第１太陽電池１０ａは、第１光電変換部４０、第１受光面側細線電極４１及び第１受光面側バスバー電極４２を備える。
【００２７】
第１光電変換部４０は、受光により光生成キャリアを生成する。光生成キャリアとは、太陽光が第１光電変換部４０に吸収されて生成される正孔と電子とをいう。
【００２８】
第１光電変換部４０は、内部にｎ型領域とｐ型領域とを有しており、ｎ型領域とｐ型領域との界面部分で半導体接合が形成される。第１光電変換部４０は、単結晶Ｓｉ、多結晶Ｓｉ等の結晶系半導体材料、ＧａＡｓ、ＩｎＰ等の化合物半導体材料等の半導体材料などにより構成される半導体基板を用いて形成することができる。なお、第１光電変換部４０は、単結晶シリコン基板と非晶質シリコン層との間に実質的に真性な非晶質シリコン層を介挿することによりヘテロ結合界面の特性を改善した構造、いわゆるＨＩＴ構造を有していてもよい。
【００２９】
第１受光面側細線電極４１は、第１光電変換部４０から光生成キャリアを収集する集電電極である。第１受光面側細線電極４１は、図２（ａ）に示すように、第１太陽電池１０ａの受光面上において、配列方向に略直交する方向に沿って複数本形成される。本実施形態に係る第１受光面側細線電極４１は、第１太陽電池１０ａの受光面上の略全域にわたってライン状に形成される。第１受光面側細線電極４１の形状及び本数は、第１太陽電池１０ａの受光面積や光生成キャリアの集電効率などを考慮して設定することができる。第１受光面側細線電極４１は、例えば、バインダーとしての樹脂材料にフィラーとしての導電性粒子を加えた導電性樹脂ペーストを用いて形成することができるが、他の材料を用いてもよい。
【００３０】
第１受光面側バスバー電極４２は、第１受光面側細線電極４１から光生成キャリアを収集する集電電極である。第１受光面側バスバー電極４２は、第１太陽電池１０ａの受光面上において、配列方向に沿って形成される。従って、第１受光面側バスバー電極４２は、第１受光面側細線電極４１と交差する。本実施形態では、２本の第１受光面側バスバー電極４２を形成しているが、第１受光面側バスバー電極４２の本数は、第１光電変換部４０の大きさなどを考慮して適当な本数に設定することができる。第１受光面側バスバー電極４２は、第１受光面側細線電極４１と同様の材料を用いて形成することができる。第１受光面側バスバー電極４２上には、第１受光面側バスバー電極４２に沿って第３配線材２０ｃが配設される。
【００３１】
図２（ｂ）に示すように、第１太陽電池１０ａは、第１裏面側細線電極４３及び第１裏面側バスバー電極４４を備える。
【００３２】
第１裏面側細線電極４３は、第１光電変換部４０から光生成キャリアを収集する集電電極である。第１裏面側細線電極４３は、第１受光面側細線電極４１と同様に、第１太陽電池１０ａの裏面上において、配列方向に略直交する方向に沿って複数本形成される。第１裏面側細線電極４３の形状及び本数は、光生成キャリアの集電効率などを考慮して設定される。第１裏面側細線電極４３は、第１受光面側細線電極４１と同様の材料を用いて形成することができる。
【００３３】
第１裏面側バスバー電極４４は、第１裏面側細線電極４３から光生成キャリアを収集する集電電極である。第１裏面側バスバー電極４４は、第１太陽電池１０ａの裏面上において、配列方向に沿って形成される。従って、第１裏面側バスバー電極４４は、第１裏面側細線電極４３と交差する。本実施形態では、２本の第１裏面側バスバー電極４４を形成しているが、第１裏面側バスバー電極４４の本数は、第１光電変換部４０の大きさなどを考慮して適当な本数に設定することができる。第１裏面側バスバー電極４４は、第１受光面側細線電極４１と同様の材料を用いて形成することができる。第１裏面側バスバー電極４４上には、第１配線材２０ａが配設される。
【００３４】
ここで、図２（ｃ）に示すように、第１受光面側バスバー電極４２は、第１裏面側バスバー電極４４よりも内側に形成されている。具体的には、図２（ｄ）に示すように、第１受光面側バスバー電極４２と第１裏面側バスバー電極４４とは、受光面に平行な投影面上において重ならない。なお、図２（ｄ）では、バスバー電極のみに着目している。
【００３５】
（第２太陽電池１５ａの構成）
次に、第２太陽電池１５ａの構成について、図３を参照しながら説明する。図３（ａ）は、第２太陽電池１５ａの受光面側における平面図である。図３（ｂ）は、第２太陽電池１５ａの裏面側における平面図である。図３（ｃ）は、図３（ａ）のＢ−Ｂ切断面における断面図である。図３（ｄ）は、第２太陽電池１５ａの受光面に平行な投影面を示す図である。
【００３６】
第２太陽電池１５ａは、太陽光を受ける受光面と、受光面の反対側に設けられた裏面とを有する。受光面と裏面のそれぞれは、第２太陽電池１５ａの主面である。
【００３７】
図３（ａ）及び（ｂ）に示すように、第２太陽電池１５ａは、第２光電変換部５０、第２受光面側細線電極５１、第２受光面側バスバー電極５２、第２裏面側細線電極５３及び第２裏面側バスバー電極５４を備える。これらの詳細な構成は、上記第１太陽電池１０ａの構成と同様であるので説明を省略する。以下、第１太陽電池１０ａと第２太陽電池１５ａとの相違点について説明する。
【００３８】
図２（ｃ）に示すように、第１受光面側バスバー電極４２は、第１裏面側バスバー電極４４よりも内側に形成されている。具体的には、図２（ｄ）に示すように、第１受光面側バスバー電極４２と第１裏面側バスバー電極４４とは、受光面に平行な投影面上において重ならない。なお、図２（ｄ）では、バスバー電極のみに着目している。
【００３９】
図３（ｃ）に示すように、第２受光面側バスバー電極５２は、第２裏面側バスバー電極５４よりも外側に形成されている。具体的には、図３（ｄ）に示すように、第２受光面側バスバー電極５２と第２裏面側バスバー電極５４とは、受光面に平行な投影面上において重ならない。なお、図２（ｄ）では、バスバー電極のみに着目している。
【００４０】
（太陽電池ユニットどうしの接続方法）
次に、第１太陽電池ユニット１０と第２太陽電池ユニット１５との接続方法について図４を参照しながら説明する。図４（ａ）は、第１太陽電池１０ａ及び第２太陽電池１５ａそれぞれが備えるバスバー電極の配列を模式的に示した図である。図４（ｂ）は、第１太陽電池ユニット１０及び第２太陽電池ユニット１５の受光面側の平面図である。
【００４１】
図４（ａ）に示すように、第１太陽電池ユニット１０と第２太陽電池ユニット１５とは、配列方向に沿って一直線状に配列される。従って、第１太陽電池１０ａ、第１太陽電池１０ａ、第２太陽電池１５ａ、第２太陽電池１５ａは、一直線状に順次配列される。
【００４２】
第１太陽電池１０ａの受光面上には、配列方向に沿って形成された第１受光面側バスバー電極４２が形成されている。第１太陽電池１０ａの裏面上には、配列方向に沿って形成された第１裏面側バスバー電極４４が形成されている。第１受光面側バスバー電極４２は、第１裏面側バスバー電極４４よりも内側に位置する。
【００４３】
第２太陽電池１５ａの受光面上には、配列方向に沿って形成された第２受光面側バスバー電極５２が形成されている。第２太陽電池１５ａの裏面上には、配列方向に沿って形成された第２裏面側バスバー電極５４が形成されている。第２受光面側バスバー電極５２は、第２裏面側バスバー電極５４よりも外側に位置する。
【００４４】
第１太陽電池１０ａどうしは、同一の構成を有するため、一の第１太陽電池１０ａの第１受光面側バスバー電極４２と、一の第１太陽電池１０ａに隣接する他の第１太陽電池１０ａの第１受光面側バスバー電極４２とは、配列方向に沿って一直線上に位置する。また、一の第１太陽電池１０ａの第１裏面側バスバー電極４４と、他の第１太陽電池１０ａの第１裏面側バスバー電極４４とは、配列方向に沿って一直線上に位置する。
【００４５】
同様に、第２太陽電池１５ａどうしは、同一の構成を有するため、一の第２太陽電池１５ａの第２受光面側バスバー電極５２と、一の第２太陽電池１５ａに隣接する他の第２太陽電池１５ａの第２受光面側バスバー電極５２とは、配列方向に沿って一直線上に位置する。また、一の第２太陽電池１５ａの第２裏面側バスバー電極５４と、他の第２太陽電池１５ａの第２裏面側バスバー電極５４とは、配列方向に沿って一直線上に位置する。
【００４６】
さらに、一の第１太陽電池１０ａの第１受光面側バスバー電極４２と、一の第１太陽電池１０ａに隣接する一の第２太陽電池１５ａの第２裏面側バスバー電極５４とは、配列方向に沿って一直線上に位置する。また、一の第１太陽電池１０ａの第１裏面側バスバー電極４４と、一の第１太陽電池１０ａに隣接する一の第２太陽電池１５ａの第２受光面側バスバー電極５２とは、配列方向に沿って一直線上に位置する。
【００４７】
なお、第１太陽電池ユニット１０に含まれる第１太陽電池１０ａそれぞれが有する第１裏面側バスバー電極４４と、第２太陽電池ユニット１５に含まれる第２太陽電池１５ａそれぞれが有する第２受光面側バスバー電極５２とは、配列方向に沿って一直線上に位置する。
【００４８】
このような各バスバー電極上には、図４（ｂ）に示すように、第１乃至第３配線材２０ａ〜２０ｃが電気的に接続される。第１乃至第３配線材２０ａ〜２０ｃは、例えば、半田付けにより各バスバー電極上に接続される。
【００４９】
具体的に、第１配線材２０ａは、第１太陽電池ユニット１０に含まれる第１太陽電池１０ａそれぞれが有する第１裏面側バスバー電極４４に接続される。第１配線材２０ａは、配列方向に沿って一直線状に延びる。また、第２配線材２０ｂは、第２太陽電池ユニット１５に含まれる第２太陽電池１５ａそれぞれが有する第２受光面側バスバー電極５２に接続される。第２配線材２０ｂは、配列方向に沿って一直線状に延びる。さらに、第３配線材２０ｃは、第１太陽電池ユニット１０に含まれる第１太陽電池１０ａそれぞれが有する第１受光面側バスバー電極４２と、第２太陽電池ユニット１５に含まれる第２太陽電池１５ａそれぞれが有する第２裏面側バスバー電極５４とに接続される。第３配線材２０ｃは、配列方向に沿って一直線状に延びる。
【００５０】
以上により、第１太陽電池ユニット１０に含まれる第１太陽電池１０ａどうしは、電気的に並列に接続される。同様に、第２太陽電池ユニット１５に含まれる第２太陽電池１５ａどうしは、電気的に並列に接続される。第１太陽電池ユニット１０と第２太陽電池ユニット１５とは、電気的に直列に接続される。
【００５１】
ここで、図４（ｂ）に示すように、第１太陽電池ユニット１０に含まれる２つの第１太陽電池１０ａ間の領域αでは、第１配線材２０ａと第３配線材２０ｃとは重ならない。同様に、第２太陽電池ユニット１５に含まれる２つの第２太陽電池１５ａ間の領域βでは、第２配線材２０ｂと第３配線材２０ｃとは重ならない。
【００５２】
以上説明した第１太陽電池ユニット１０及び第２太陽電池ユニット１５とを含む一組のユニットを多数連結させることにより太陽電池ストリング１が形成される。なお、太陽電池モジュール１００は、複数の太陽電池ストリング１を電気的に接続した構成を有していてもよい。
【００５３】
（作用及び効果）
本実施形態に係る太陽電池モジュール１００において、第１太陽電池ユニット１０に含まれる第１太陽電池１０ａそれぞれが有する第１裏面側バスバー電極４４どうしは、第１配線材２０ａにより接続される。第２太陽電池ユニット１５に含まれる第２太陽電池１５ａそれぞれが有する第２受光面側バスバー電極５２どうしは、第２配線材２０ｂにより接続される。第１太陽電池ユニット１０に含まれる第１太陽電池１０ａそれぞれが有する第１受光面側バスバー電極４２どうしと、第２太陽電池ユニット１５に含まれる第２太陽電池１５ａそれぞれが有する第２裏面側バスバー電極５４どうしとは、第３配線材２０ｃにより接続される。第３配線材２０ｃは、配列方向に沿って一直線状に延びる。
【００５４】
従って、第１太陽電池ユニット１０と第２太陽電池ユニット１５とを、一直線状の第３配線材２０ｃによって電気的に直列に接続することができる。即ち、太陽電池ユニットどうしの接続工程では、直線状の第３配線材２０ｃのみをバスバー電極に半田付けすればよい。従って、多数の構成部品を複雑に半田付けする作業を削減することができる。その結果、太陽電池モジュール１００の製造コストを低減することができる。
【００５５】
さらに、第１太陽電池ユニット１０に含まれる２つの第１太陽電池１０ａ間の領域αでは、第１配線材２０ａと第３配線材２０ｃとは重ならない。同様に、第２太陽電池ユニット１５に含まれる２つの第２太陽電池１５ａ間の領域βでは、第２配線材２０ｂと第３配線材２０ｃとは重ならない。
【００５６】
従って、第１乃至第３配線材２０ａ〜２０ｃをバスバー電極に半田付けする際に、一方の配線材から溶け出した半田が他方の配線材に接触することを抑制することができる。その結果、各配線材間における短絡の発生は抑制され、太陽電池モジュール１００の製造歩留まりを向上することができる。
【００５７】
（実施形態の変形例）
次に、上記実施形態の変形例について図５及び図６を参照しながら説明する。図５（ａ）は、第３太陽電池１０ｂの受光面側の平面図である。図５（ｂ）は、第３太陽電池１０ｂの裏面側の平面図である。図５（ｃ）は、図５（ａ）のＣ−Ｃ切断面における断面図である。図６（ａ）は、第４太陽電池１５ｂの受光面側の平面図である。図６（ｂ）は、第４太陽電池１５ｂの裏面側の平面図である。図６（ｃ）は、図６（ａ）のＤ−Ｄ切断面における断面図である。
【００５８】
上記実施形態との相違点は、第３裏面側バスバー電極４５の線幅が第１裏面側バスバー電極４４の線幅よりも広い点、及び第４裏面側バスバー電極５５の線幅が第２裏面側バスバー電極５４の線幅よりも広い点である。その他の構成において、第３太陽電池１０ｂは第１太陽電池１０ａと同様であり、第４太陽電池１５ｂは第２太陽電池１５ａと同様である。
【００５９】
本変形例では、図５（ｃ）及び図６（ｃ）に示すように、裏面側バスバー電極の上方に、受光面側バスバー電極が配設されている。即ち、受光面に平行な投影面上において、裏面側バスバー電極と受光面側バスバー電極とが重なっている。
【００６０】
なお、太陽電池が裏面からの入射光を利用しない場合、裏面側バスバー電極に形状に制限はない。
【００６１】
このように、本発明は、各バスバー電極に接続される配線材の位置に関するものである。従って、受光面側バスバー電極に接続される配線材と、裏面側バスバー電極に接続される配線材とが、受光面に平行な投影面上において重なっていなければ、本発明の効果を得ることができる。
【００６２】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００６３】
例えば、上記実施形態において、第１太陽電池ユニット１０と第２太陽電池ユニット１５それぞれは、２個の太陽電池を備えることとしたが、太陽電池ユニットに含まれる太陽電池の数に制約はない。
【００６４】
また、上記実施形態では、第１太陽電池１０ａと第２太陽電池１５ａそれぞれは、受光面上及び裏面上にライン状の細線電極を有することとしたが、細線電極の形状を有していなくてもよい。
【００６５】
また、上記実施形態では、第１太陽電池１０ａ又は第２太陽電池１５ａの受光面上及び裏面上それぞれに、２本の配線材を接続することとしたが、配線材の本数はこれに限定されない。ただし、太陽電池の受光面上及び裏面上には、それぞれ同数の配線材が接続されることが好ましい。
【図面の簡単な説明】
【００６６】
【図１】本発明の実施形態に係る太陽電池モジュール１００の側面図である。
【図２】本発明の実施形態に係る第１太陽電池１０ａの構成を説明するための図である。
【図３】本発明の実施形態に係る第２太陽電池１５ａの構成を説明するための図である。
【図４】本発明の実施形態に係る第１太陽電池ユニット１０及び第２太陽電池ユニット１５の受光面側の平面図である。
【図５】本発明の実施形態に係る第３太陽電池１０ｂの構成を説明するための図である。
【図６】本発明の実施形態に係る第４太陽電池１５ｂの構成を説明するための図である。
【符号の説明】
【００６７】
１…太陽電池ストリング
２…受光面側保護材
３…裏面側保護材
４…封止材
１０…第１太陽電池ユニット
１０ａ…第１太陽電池
１０ｂ…第３太陽電池
１５…第２太陽電池ユニット
１５ａ…第２太陽電池
１５ｂ…第４太陽電池
２０ａ…第１配線材
２０ｂ…第２配線材
２０ｃ…第３配線材
４０…第１光電変換部
４１…第１受光面側細線電極
４２…第１受光面側バスバー電極
４３…第１裏面側細線電極
４４…第１裏面側バスバー電極
５０…第２光電変換部
５１…第２受光面側細線電極
５２…第２受光面側バスバー電極
５３…第２裏面側細線電極
５４…第２裏面側バスバー電極
４５…第３裏面側バスバー電極
５５…第４裏面側バスバー電極
１００…太陽電池モジュール
【図１】
0005153279.tif 000002
【図２】
0005153279.tif 000003
【図３】
0005153279.tif 000004
【図４】
0005153279.tif 000005
【図５】
0005153279.tif 000006
【図６】
0005153279.tif 000007